(57)【要約】【課題】部品の種類数の増大を抑えながら、アース部材と端子金具との位置関係を複数の形態に変更できるようにする。【解決手段】ハウジング１０に端子金具２０とアース部材５０が取り付けられ、ハウジング１０内に収容したコンデンサ３０（フィルタ）が端子金具２０とアース部材５０に接続されている。アース部材５０は、ハウジング１０に固定され、コンデンサ３０に接続された第１部材５１と、第１部材５１に設けられた複数の第１係止部５３と、第１部材５１とは別体であって接地される第２部材５５と、第２部材５５に設けられ、複数の第１係止部５３に係止することで、第１部材５１に対し第２部材５５を向きの異なる複数形態で選択的に取り付ける複数の第２係止部５８とを備える。【選択図】図３
2015099733.tif 000002
【特許請求の範囲】
【請求項１】
ハウジングと、
前記ハウジングに取り付けられた端子金具と、
前記ハウジングに取り付けられたアース部材と、
前記ハウジング内に収容され、前記端子金具と前記アース部材に接続されたフィルタとを備えたフィルタ内蔵型コネクタであって、
前記アース部材が、
前記ハウジングに固定され、前記フィルタに接続された第１部材と、
前記第１部材に設けられた複数の第１係止部と、
前記第１部材とは別体であって、接地される第２部材と、
前記第２部材に設けられ、前記複数の第１係止部に係止することで、前記第１部材に対し前記第２部材を向きの異なる複数形態で選択的に取り付ける複数の第２係止部とを備えていることを特徴とするフィルタ内蔵型コネクタ。
【請求項２】
前記複数の第１係止部と前記複数の第２係止部が、互いに同数で、正多角形の頂点を構成するように配置されていることを特徴とする請求項１記載のフィルタ内蔵型コネクタ。
【請求項３】
前記第１係止部と前記第２係止部のうちいずれか一方の前記係止部は、他方の前記係止部との取り付け過程で弾性撓み可能な形態とされていることを特徴とする請求項１又は請求項２記載のフィルタ内蔵型コネクタ。
【発明の詳細な説明】
【技術分野】
【０００１】
本発明は、フィルタ内蔵型コネクタに関するものである。
【背景技術】
【０００２】
特許文献１には、ハウジングに端子金具とアース部材を取り付け、ハウジング内に収容したフィルタを端子金具とアース部材に接続した形態のフィルタ内蔵型コネクタが開示されている。このフィルタ内蔵型コネクタは、端子金具にワイヤーハーネス等の回路を接続し、アース部材を自動車のボディ等に接地することで、回路のノイズを除去するようになっている。
【先行技術文献】
【特許文献】
【０００３】
【特許文献１】特許第４５２４３１８号公報
【発明の概要】
【発明が解決しようとする課題】
【０００４】
上記のフィルタ内蔵型コネクタは、端子金具とアース部材の両方がハウジングに固定されているため、端子金具とアース部材の位置関係も一定である。そのため、例えば、端子金具が接続される回路と、アース部材が接続される接地部との位置関係が複数形態ある場合には、各形態に合うように、形状の異なる複数種類のハウジングやアース部材等を容易する必要がある。しかし、部品の種類数が増えることは、製造コストや管理コスト等の点で好ましくない。
本発明は上記のような事情に基づいて完成されたものであって、部品の種類数の増大を抑えながら、アース部材と端子金具との位置関係を複数の形態に変更できるようにすることを目的とする。
【課題を解決するための手段】
【０００５】
本発明のフィルタ内蔵型コネクタは、
ハウジングと、
前記ハウジングに取り付けられた端子金具と、
前記ハウジングに取り付けられたアース部材と、
前記ハウジング内に収容され、前記端子金具と前記アース部材に接続されたフィルタとを備えたフィルタ内蔵型コネクタであって、
前記アース部材が、
前記ハウジングに固定され、前記フィルタに接続された第１部材と、
前記第１部材に設けられた複数の第１係止部と、
前記第１部材とは別体であって、接地される第２部材と、
前記第２部材に設けられ、前記複数の第１係止部に係止することで、前記第１部材に対し前記第２部材を向きの異なる複数形態で選択的に取り付ける複数の第２係止部とを備えているところに特徴を有する。
【発明の効果】
【０００６】
複数の第１係止部と複数の第２係止部の係止の組み合わせを変えることにより、第２部材を、第１部材に対して向きの異なる複数形態で選択的に取り付けることができる。本発明は、アース部材を２種類の部材に分割しただけで、アース部材と端子金具との位置関係を複数の形態に変更することができるので、部品の種類数の増大を抑えることができる。
【図面の簡単な説明】
【０００７】
【図１】実施例１のフィルタ内蔵型コネクタの平面図
【図２】図１のＸ−Ｘ線断面図
【図３】アース部材の接地部をハウジングの後方へ突出させた形態をあらわす底面図
【図４】アース部材の接地部をハウジングの側方へ突出させた形態をあらわす底面図
【発明を実施するための形態】
【０００８】
（１）本発明のフィルタ内蔵型コネクタは、前記複数の第１係止部と前記複数の第２係止部が、互いに同数で、正多角形の頂点を構成するように配置されていてもよい。この構成によれば、複数の第１係止部と複数の第２係止部が全て係止するので、第２部材と第１部材との取付け状態が安定する。
【０００９】
（２）本発明のフィルタ内蔵型コネクタは、前記第１係止部と前記第２係止部のうちいずれか一方の前記係止部は、他方の前記係止部との取り付け過程で弾性撓み可能な形態とされていてもよい。この構成によれば、第１係止部と第２係止部との取付けが簡単となる。
【００１０】
＜実施例１＞
以下、本発明を具体化した実施例１を図１〜図４を参照して説明する。本実施例１のフィルタ内蔵型コネクタは、合成樹脂製のハウジング１０と、端子金具２０と、一対のコンデンサ３０（請求項に記載のフィルタ）と、１つのコイル４０と、アース部材５０とを備えて構成されている。尚、以下の説明において、上下の方向については図２に表れる向きを基準とし、前後方向については図１〜４における左側を前側と定義する。
【００１１】
＜ハウジング１０＞
図１，２に示すように、ハウジング１０は、箱形部材１１とフード部１２とを一体に形成して構成されている。箱形部材１１は、平面視方形の底壁部１３と、底壁部１３の外周縁から立ち上がる角筒状の周壁部１４とから構成され、上面が全領域に亘って開放された形態となっている。箱形部材１１の上面の開口部は、カバー１５によって閉塞されるようになっている。底壁部１３の後端部には、上下方向に貫通した形態の切欠部１６が形成されている。フード部１２は、周壁部１４を構成する前壁部１７の外周縁から前方へ角筒状に延出した形態である。
【００１２】
＜端子金具２０＞
端子金具２０は、全体として前後方向に細長い形状である。一対の端子金具２０は、左右に並列するように配されており、前壁部１７を前後に貫通した状態でインサート成形によりハウジング１０（箱形部材１１）と一体化されている。端子金具２０の前端側領域を構成するタブ２１は、フード部１２内に収容され、図示しない回路を構成する相手側端子（図示省略）に接続されるようになっている。端子金具２０の後端部領域を構成する溶接部２２は、箱形部材１１内に収容されている。溶接部２２の上面には、コンデンサ３０のリード線３２Ｆが半田３３（溶接）により接続されている。
【００１３】
＜コンデンサ３０＞
コンデンサ３０は、コンデンサ本体３１と、コンデンサ本体３１から延出する前後一対のリード線３２Ｆ，３２Ｒとを備えて構成されている。コンデンサ本体３１は、側面視が横長の略方形をなし、幅寸法は、前後寸法及び上下寸法に比べて小さい。コンデンサ３０は、箱形部材１１内における左右両端部に配されている。一対のリード線３２Ｆ，３２Ｒは、いずれも、コンデンサ本体３１の上面における前端部と後端部から上向きに導出されている。上向きに導出された前側のリード線３２Ｆは、前方へ転向するように屈曲され、その先端部が、半田３３により端子金具２０の溶接部２２の上面に導通可能に接続されている。また、上向きに導出された後側のリード線３２Ｒは、後方へ転向し、その先端部が、半田３３（溶接）により後述するアース部材５０に導通可能に接続されている。
【００１４】
＜コイル４０＞
コイル４０は、軸線を前後方向に向けた円柱形のコア４１の外周に螺旋状に巻き付けられて構成され、箱形部材１１内に収容されている。コイル４０は、底壁部１３の上面に載置された状態で、左右一対のコンデンサ３０の間に配されている。コイル４０の両端部は、一対の端子金具２０の溶接部２２に、半田３３（溶接）により導通可能に接続される。コイル４０の溶接は、コンデンサ３０の前側のリード線３２Ｆを溶接する工程で同時に行われる。上記のようにアース部材５０と端子金具２０に接続されたコイル４０と２つのコンデンサ３０は、π型のフィルタ回路を構成し、端子金具２０に接続された回路のノイズを効果的に除去するフィルタとしての機能を発揮する。
【００１５】
＜アース部材５０＞
図２〜４に示すように、アース部材５０は、金属製の第１部材５１と、第１部材５１とは別体の部品である金属製の第２部材５５とから構成されている。第１部材５１は、平面視が略方形をなす平板状の金属板材に、曲げ加工等を施して成形されている。図３，４に示すように、第１部材５１の略中央部には、円形の中心孔５２が形成されており、中心孔５２の孔縁部には、周方向に９０°の等角度ピッチで配された４つの第１係止部５３が形成されている。この４つの第１係止部５３は、１つの円周上に配置され、正方形の頂点を構成するように配置されている。
【００１６】
第１係止部５３は、中心孔５２の孔縁から第１部材５１に対して略直角に下向きに延出した形態である。第１係止部５３の下端部（延出端部）には、中心孔５２の中心とは反対方向（中心孔５２における径方向外向き）に折り返すように屈曲した爪部５４が形成されている。第１係止部５３は、その上端部（中心孔５２の孔縁に連なる部位）を支点として水平方向（中心孔５２における径方向）へ弾性撓みし得るようになっている。
【００１７】
第２部材５５は、平面視が略方形をなす平板状の金属板材に、曲げ加工等を施して成形されている。図２に示すように、第２部材５５は、第１部材５１の下面にほぼ面当たり状態で重ね合わせられる略平板状の結合部５６と、結合部５６と平行であり且つ結合部５６に対して段差状に低くなった接地部５７とから構成されている。図３，４に示すように、結合部５６には、４つの第１係止部５３と対応する配置で４つの第２係止部５８が形成されている。第２係止部５８は、第１係止部５３の爪部５４を通過させることが可能な貫通孔状をなしている。接地部５７には、貫通形態の取付孔５９が形成されている。
【００１８】
ハウジング１０に対するアース部材５０の取付け構造は、次の通りである。第１部材５１は、インサート成形によりハウジング１０と一体化されている。第１部材５１は、底壁部１３の下面（外面）に重なるように配され、底壁部１３の切欠部１６を塞いでいる。第１部材５１の上面のうち切欠部１６において箱形部材１１内に露出する領域においては、後側のリード線３２Ｒの先端部が、半田３３（溶接）により接続されている。また、４つの第１係止部５３は、底壁部１３の下方へ片持ち状に延出している。第１係止部５３の下端（延出端）は、フード部１２の下面と同じ高さに設定されている。
【００１９】
第２部材５５は、ハウジング１０の下方から第１部材５１に組み付けられる。組付けに際しては、まず、ハウジング１０からの接地部５７の突出方向を決める。本実施例では、ハウジング１０からの接地部５７の突出方向を、３つの形態で設定することができる。１つは、図３に示すように、接地部５７がハウジング１０の後方へ突出する形態である。第２部材５５を第１部材５１及びハウジング１０に対して位置合わせしたら、４つの第２係止部５８を４つの第１係止部５３に嵌合させる。嵌合の過程では、爪部５４が第２係止部５８の孔縁に当接することにより、第１係止部５３が弾性撓みする。
【００２０】
そして、結合部５６の上面が第１部材５１の下面に当接すると、第１係止部５３が弾性復帰して爪部５４が第２係止部５８の孔縁に係止する。この４カ所の係止作用により、第２部材５５と第１部材５１が組付け状態に保持されてアース部材５０が構成されると同時に、第２部材５５がハウジング１０に対して固定される。そして、接地部５７の取付孔５９と端子金具２０のタブ２１との位置関係が決まる。
【００２１】
また、図３とは異なる組付け形態としては、図４に示すように、接地部５７がハウジング１０の側方へ突出する形態も可能である。この場合も、図３に示す組付け形態と同様に、４つの第１係止部５３を弾性撓みさせながら、４つの第２係止部５８と係止させればよい。
【００２２】
第２部材５５を第１部材５１に組み付けた状態では、接地部５７の下面が、フード部１２の下面及び第１係止部５３の下端と同じ高さとなる。したがって、フィルタ内蔵型コネクタは、フード部１２の下面、第１係止部５３の下端及び接地部５７の下面を、自動車のボディ等における平坦状の接地面（図示省略）に対して安定して当接させることができる。この状態では、接地面に対し、接地部５７が、その全領域に亘る広い範囲で面当たりする。そして、取付孔５９に貫通したボルト（図示省略）を接地面にねじ込むことにより、アース部材５０が接地される。
【００２３】
＜実施例１の作用及び効果＞
フィルタ内蔵型コネクタの製造工程を説明する。まず、インサート成形により、ハウジング１０を成形すると同時に、ハウジング１０と一対の端子金具２０を一体化させるとともに、ハウジング１０と第１部材５１を一体化させる。次に、箱形部材１１内にコイル４０とコンデンサ３０を収容し、コイル４０を端子金具２０に接続するとともに、コンデンサ３０のリード線３２Ｆ，３２Ｒを端子金具２０と第１部材５１に接続する。その後、第２部材５５を第１部材５１に組み付ける。尚、第２部材５５と第１部材５１の組付けは、コンデンサ３０とコイル４０を半田３３により接続する工程よりも先に行ってもよい。
【００２４】
本実施例のフィルタ内蔵型コネクタは、ハウジング１０と、ハウジング１０に取り付けられた端子金具２０と、ハウジング１０に取り付けられたアース部材５０と、ハウジング１０内に収容され、端子金具２０とアース部材５０に接続されたフィルタとを備えており、部品の種類数の増大を抑えながら、アース部材５０の取付孔５９と端子金具２０のタブ２１との位置関係（即ち、ハウジング１０からの接地部５７の突出方向）を複数の形態に変更することを可能にしている。
【００２５】
そのための手段として、アース部材５０を、ハウジング１０に固定されコンデンサ３０に接続された第１部材５１と、第１部材５１とは別体であって、接地される第２部材５５とによって構成した。そして、第１部材５１には４つの第１係止部５３を設け、第２部材５５には、４つの第１係止部５３に係止することで、第１部材５１に対し第２部材５５を向きの異なる複数形態で選択的に取り付ける４つの第２係止部５８を設けている。
【００２６】
本実施例のフィルタ内蔵型コネクタは、４つの第１係止部５３と４つの第２係止部５８の係止の組み合わせを変えることにより、第２部材５５を、第１部材５１に対して向きの異なる複数形態で選択的に取り付けることができるようになっている。したがって、アース部材５０を２種類の部材５１，５５に分割しただけで、アース部材５０と端子金具２０との位置関係を３つの形態に変更することができるので、部品の種類数の増大を抑えることができる。
【００２７】
また、第１係止部５３と第２係止部５８は、互いに同数（４つ）ずつ設けられているとともに、正多角形（正方形）の頂点を構成するように配置されている。この構成によれば、第２部材５５と第１部材５１を組み付けた状態では、４つの第１係止部５３と４つの第２係止部５８が全て係止するので、第２部材５５と第１部材５１との取付け状態が安定する。また、第１係止部５３は、第２係止部５８との取り付け過程で弾性撓みするようになっているので、第１係止部５３と第２係止部５８との取付けが簡単となる。
【００２８】
＜他の実施例＞
本発明は上記記述及び図面によって説明した実施例に限定されるものではなく、例えば次のような実施例も本発明の技術的範囲に含まれる。
（１）上記実施例では、第１係止部と第２係止部を同じ数ずつ設けたが、第１係止部の数と第２係止部の数は互いに異なっていてもよい。
（２）上記実施例では、第１係止部と第２係止部の数を４つとしたが、第１係止部と第２係止部の数は、３つ以下でもよく、５つ以上でもよい。
（３）上記実施例では、第１係止部を弾性撓み可能な形態とし、第２係止部を弾性撓みしない形態としたが、これとは逆に、第２係止部を弾性撓み可能な形態とし、第１係止部を弾性撓みしない形態としてもよい。
（４）上記実施例１では、２つのコンデンサと１つのコイルによりπ形のフィルタ回路が構成されているが、本発明は、フィルタ回路が、１つのコンデンサと１つのコイルで構成されている場合や、１つのコンデンサで構成されている場合や、２つのコンデンサで構成されている場合にも適用できる。
（５）上記実施例では、第２部材の下面とハウジングの最下面を面一の高さとしたが、第２部材の下面がハウジングの最下面よりも更に下方に位置するように、第２部材を段差状に大きく屈曲した形態としてもよい。
（６）上記実施例では、第２部材と第１部材を互いに平行な板状としたが、第２部材のうち取付孔が形成されている接地部が、第１部材に対して斜めの向き又は直角な向きであってもよい。
【符号の説明】
【００２９】
１０…ハウジング
２０…端子金具
３０…コンデンサ（フィルタ）
５０…アース部材
５１…第１部材
５３…第１係止部
５５…第２部材
５８…第２係止部
【図１】
2015099733.tif 000003
【図２】
2015099733.tif 000004
【図３】
2015099733.tif 000005
【図４】
2015099733.tif 000006